(57)【特許請求の範囲】
【請求項１】
薄型表示部を収納する合成樹脂製フロントキャビネットと合成樹脂製リアキャビネット
とを連結する連結手段として所定間隔をおいて配置した複数のビス及びフックが用いられ
、該フックに対向してリアキャビネットの外周縁部の端面の内周側から突出する突出片に
係合凹部が形成されており、リアキャビネットの突出片をフロントキャビネットの外周縁
部内に嵌入させることにより、フックを係合凹部内に嵌入させ、ビスでリアキャビネット
をフロントキャビネットに止着するようにした薄型表示装置において、前記係合凹部の開
口縁を削除することにより該係合凹部のフック係合面の高さがフックの高さよりも小さく
設定され、フロントキャビネットの外周縁部に所定間隔をおいて対向させた支持片が該フ
ロントキャビネットの内周面に一体突設されており、その支持片とフロントキャビネット
の外周縁部との間に前記突出片を差し込むようにしたことを特徴とする薄型表示装置。
【請求項２】
前記突出片の係合凹部に対向する細幅のフック係合部分からリアキャビネットの外周縁
部にかけて該係合凹部の底面を横断する複数の補強片が所定間隔をおいて一体形成されて
いることを特徴とする請求項１に記載の薄型表示装置。
【発明の詳細な説明】
【技術分野】
【０００１】
本発明は、例えば液晶テレビなどの薄型表示装置に関し、特に、リアキャビネットの取
外し作業を容易に行い外観上の体裁を良好に維持することができるものである。
【背景技術】
【０００２】
薄型表示装置の一例として図７に示すものがあり、これは液晶テレビであって、液晶モ
ジュール（薄型表示部）１を収納する合成樹脂製フロントキャビネット２と合成樹脂製リ
アキャビネット３とを連結する連結手段としてビス４が用いられており、該ビス４の点数
削減によるコストダウンを図るため、そのビス４の本数を最小数（この例では４本）に限
定し、両キャビネット２，３の外周縁部２ａ，３ａの天板複数箇所（この例では５箇所）
及び側板中央箇所をフック５で連結することが行われている。なお、図７中、６は開口部
、７はスタンドである。
【０００３】
前記フック５は、図８及び図９に示すように、フロントキャビネット２の外周縁部２ａ
の内周面に一体突設した突条状フック本体８を有し、該フック本体８と外周縁部２ａとの
間に三角形のガイド片９が一体形成され、該ガイド片９にフック本体８の先端から外周縁
部２ａの端面１０まで傾斜状ガイド面９ａが形成されている。
【０００４】
図９に示すように、前記リアキャビネット３の外周縁部３ａの端面１１の内周側から前
方に突出する突出片１２に、前記フック５に対向して長方形状係合凹部１３が形成されて
いる。
【０００５】
組立手順を説明すると、作業台上にフロントキャビネット２を載せ、リアキャビネット
３の突出片１２をフロントキャビネット２の外周縁部２ａ内に嵌入させることにより、各
フック５を各係合凹部１３内に嵌入させ、図８に示すように、ビス４でリアキャビネット
３をフロントキャビネット２に止着する。
【０００６】
従来、図１１に示すように、例えばユーザが液晶テレビの天板を強く押すなどして外圧
Ｐ１がかかり、両キャビネット２，３の外周縁部２ａ，３ａが弾性変位されることにより
（図１１仮想線参照）、フック５と係合凹部１３との連結状態が解除されないようにする
ため、係合凹部１３のフック係合面１３ａの高さｈ１を大きくしてフック５の高さｈ２と
ほぼ同一に設定している。
【０００７】
上記構成において、キャビネット２，３の組立作業後、作業のやり直しなどのためにそ
の組立状態を解除する場合には、図１３に示すように、リアキャビネット３に押上力Ｐ２
をかけて係合凹部１３をフック５から離脱させるが、前記したように、係合凹部１３のフ
ック係合面１３ａの高さｈ１を大きく設定しているため、離脱作業を容易に行えない。
【０００８】
また、前記離脱作業を無理に行うと、突出片１２の係合凹部１３に対向する細幅ｎのフ
ック係合部分１２ａ（図１０参照）が大きく弾性変位されてひび割れしたり損傷されるお
それがある。そこで、フック係合部分１２ａから外周縁部３ａにかけて係合凹部１３の底
面を覆う補強板１８がリアキャビネット３の内周面に一体形成されている。なお、関連す
る技術として特許文献１に記載したものがある。
【先行技術文献】
【特許文献】
【０００９】
【特許文献１】特開２００８−１８２６２２号公報
【発明の概要】
【発明が解決しようとする課題】
【００１０】
上記従来の構成では、リアキャビネット３の取外し作業を容易に行えないという難点が
解消されておらず、また、補強板１８で補強することにより、リアキャビネット３の補強
板１８の付近の肉厚が大きくなり、該リアキャビネット３の成形時に、そのリアキャビネ
ット３の外周縁部３ａに「ひけ」が生じるため、図９及び図１１に示しているように、外
周縁部３ａの外周面にわずかな深みｔ（例えば０．２ｍｍ程度）の窪み２０が生じ、外観
上の体裁が悪くなる。
【００１１】
本発明は、上記従来の欠点に鑑み、リアキャビネットの取外し作業を容易に行い外観上
の体裁を良好に維持することができるようにした薄型表示装置を提供することを目的とし
ている。
【課題を解決するための手段】
【００１２】
上記目的を達成するため、請求項１に記載の発明は、薄型表示部を収納する合成樹脂製
フロントキャビネットと合成樹脂製リアキャビネットとを連結する連結手段として所定間
隔をおいて配置した複数のビス及びフックが用いられ、該フックに対向してリアキャビネ
ットの外周縁部の端面の内周側から突出する突出片に係合凹部が形成されており、リアキ
ャビネットの突出片をフロントキャビネットの外周縁部内に嵌入させることにより、フッ
クを係合凹部内に嵌入させ、ビスでリアキャビネットをフロントキャビネットに止着する
ようにした薄型表示装置において、前記係合凹部の開口縁を削除することにより該係合凹
部のフック係合面の高さがフックの高さよりも小さく設定され、フロントキャビネットの
外周縁部に所定間隔をおいて対向させた支持片が該フロントキャビネットの内周面に一体
突設されており、その支持片とフロントキャビネットの外周縁部との間に前記突出片を差
し込むようにしたことを特徴としている。
【００１３】
請求項２に記載の発明は、請求項１に記載の発明において、前記突出片の係合凹部に対
向する細幅のフック係合部分からリアキャビネットの外周縁部にかけて該係合凹部の底面
を横断する複数の補強片が所定間隔をおいて一体形成されていることを特徴している。
【発明の効果】
【００１４】
請求項１に記載の発明によれば、キャビネットの組立作業後、作業のやり直しなどのた
めにその組立状態を解除する場合には、リアキャビネットに押上力をかけて係合凹部をフ
ックから離脱させるわけであるが、このとき、係合凹部のフック係合面の高さを小さく設
定しているので、フックを係合凹部から円滑に離脱させ、リアキャビネットをフロントキ
ャビネットから簡単に取外すことができる。
【００１５】
フロントキャビネットの内周面に一体突設した支持片で両キャビネットの外周縁部を支
持しているので、例えばユーザが薄型表示装置の天板を強く押すなどして両キャビネット
の外周縁部に外圧がかかったときでも、フックによる連結状態を確実に維持することがで
きる。
【００１６】
請求項２に記載の発明によれば、リアキャビネットに押上力をかけて係合凹部をフック
から離脱させる際に、その押上力が細幅のフック係合部分に集中的にかかるが、該フック
係合部分を複数の補強片で補強しているので、そのフック係合部分がひび割れしたり損傷
されることがなく、フックによる連結状態を確実に維持することができる。
【００１７】
前記補強片が所定間隔をおいて設けられており、リアキャビネットの補強片の付近の肉
厚が大きくならないため、従来のように「ひけ」によるリアキャビネットの外周縁部の外
周面に窪みが生じることがなく、外観上の体裁を良好に維持することができる。
【図面の簡単な説明】
【００１８】
【図１】本発明の実施の一形態である薄型表示装置の一部切欠き側面図である。
【図２】同要部の分解斜視図である。
【図３】同リアキャビネット側の斜視図である。
【図４】同要部の横断面図である。
【図５】図４のＡ−Ａ矢視図である。
【図６】同要部のリアキャビネット取外し状態を示す斜視図である。
【図７】薄型表示装置の一例を示す斜視図である。
【図８】従来の薄型表示装置の一部切欠き側面図である。
【図９】図９は同要部の分解斜視図である。
【図１０】同要部のリアキャビネット側の斜視図である。
【図１１】同要部の横断面図である。
【図１２】図１１のＢ−Ｂ矢視図である。
【図１３】同要部のリアキャビネット取外し状態を示す斜視図である。
【発明を実施するための形態】
【００１９】
図１〜図６は本発明の実施の一形態である薄型表示装置を示し、これは液晶テレビであ
って、液晶モジュール（薄型表示部）１を収納する合成樹脂製フロントキャビネット２と
合成樹脂製リアキャビネット３とを連結する連結手段として所定間隔をおいて配置した複
数のビス４及びフック５が用いられ、該フック５に対向してリアキャビネット３の突出片
１２に係合凹部１３が形成され、該係合凹部１３の開口縁を削除して傾斜面２２を形成す
ることによりその係合凹部１３のフック係合面１３ａの高さｈ１がフック５の高さｈ２よ
りも小さく設定され（ｈ１＜ｈ２）、フロントキャビネット２の外周縁部２ａに突出片１
２の厚さよりも大きい間隔αをおいて対向させた支持片２３が該フロントキャビネット２
の内周面に一体突設され、該支持片２３のフック対向先端縁が円弧状ガイド面２３ａとさ
れ、突出片１２のフック係合部分１２ａからリアキャビネット３の外周縁部３ａ外周縁部
にかけて係合凹部１３の底面を横断する複数（この例では３本）の補強片２４が所定間隔
ｋをおいて一体形成されている。上記以外の構成は図７〜図１３に示す構成とほぼ同じで
あるから、同一部分に同一符号を付してその説明を省略する。
【００２０】
組立手順を説明すると、作業台上にフロントキャビネット２を載せ、リアキャビネット
３の突出片１２をフロントキャビネット２の外周縁部２ａと支持片２３との間に嵌入させ
ることにより、各フック５を各係合凹部１３内に嵌入させ、図１に示すように、ビス４で
リアキャビネット３をフロントキャビネット２に止着する。
【００２１】
キャビネット２，３の組立作業後、作業のやり直しなどのためにその組立状態を解除す
る場合には、図６に仮想線で示すように、リアキャビネット３に押上力Ｐ２をかけて係合
凹部１３をフック５から離脱させるわけであるが、このとき、係合凹部１３のフック係合
面１３ａの高さｈ１（図４参照）を小さく設定しているので、フック５を係合凹部１３か
ら傾斜面２２に沿って円滑に離脱させ、リアキャビネット３をフロントキャビネット２か
ら容易に取外すことができる。
【００２２】
また、リアキャビネット３に押上力Ｐ２をかけて係合凹部１３をフック５から離脱させ
る際に、その押上力Ｐ２が細幅ｎのフック係合部分１２ａに集中的にかかるが、該フック
係合部分１２ａを複数の補強片２４で補強しているので、そのフック係合部分１２ａがひ
び割れしたり損傷されることがなく、フック５による連結状態を確実に維持することがで
きる。
【００２３】
更に、前記補強片２４が所定間隔ｋをおいて設けられており、リアキャビネット３の補
強片２４の付近の肉厚が大きくならないため、従来のように「ひけ」によるリアキャビネ
ット３の外周縁部３ａの外周面に窪みが生じることがなく（図９参照）、外観上の体裁を
良好に維持することができる。
【００２４】
フロントキャビネット２の内周面に一体突設した支持片２３で両キャビネット２，３の
外周縁部２ａ，３ａを支持しているので、例えばユーザが液晶テレビの天板を強く押すな
どして両キャビネット２，３の外周縁部２ａ，３ａに外圧Ｐ１がかかったときでも（図４
仮想線参照）、フック５と係合凹部１３との連結状態を確実に維持することができる。
【符号の説明】
【００２５】
１        液晶モジュール（薄型表示部）
２        フロントキャビネット
２ａ      フロントキャビネットの外周縁部
３        リアキャビネット
３ａ      リアキャビネットの外周縁部
４        ビス
５        フック
１２      突出片
１２ａ    フック係合部分
１３      係合凹部
１３ａ    フック係合面
２３      支持片
２４      補強片
ｈ１      フック係合面の高さ
ｈ２      フックの高さ
【図１】
0005360154.tif 000002
【図２】
0005360154.tif 000003
【図３】
0005360154.tif 000004
【図４】
0005360154.tif 000005
【図５】
0005360154.tif 000006
【図６】
0005360154.tif 000007
【図７】
0005360154.tif 000008
【図８】
0005360154.tif 000009
【図９】
0005360154.tif 000010
【図１０】
0005360154.tif 000011
【図１１】
0005360154.tif 000012
【図１２】
0005360154.tif 000013
【図１３】
0005360154.tif 000014